(57)【要約】【課題】かつらのアウトラインとなる周縁枠部材が無く、多くの自毛を容易に引き出すことができ、かつらの擬毛と万遍なく混ぜ合わせて自毛を有効に利用し全体として毛量を豊かにし得る、自毛活用型のかつらを提供する。【解決手段】複数本のリブと各リブに対して一点で連結する該連結用リブとを組み合わせて各リブ及び連結用リブの先端部がヘアラインＬから天頂部側へ入り込んで位置するように骨格様のフレームワークを形成し、この骨格様のフレームワークに多数の擬毛１５を取り付けて周縁枠を有しない植毛フレーム１０を構成していて、フレームワークは、かつらのアウトラインを形成しないよう、複数本のリブを装着者の頭部の前後方向のみに略平行に、且つ、前額部付近において中央のリブの先端を最も突出させ左右に位置するリブを徐々に引っ込めるように複数本のリブを配置して形成されている。【選択図】図３
2008101320.tif 000002
【特許請求の範囲】
【請求項１】
かつらの隙間から装着者の自毛を引き出してかつらに取り付けた擬毛と混ぜ合わせて装着する自毛活用型かつらにおいて、
線状に形成した複数本のリブ及び線状に形成した少なくとも一本の連結用リブで構成し、該複数本のリブと各リブに対して一点で連結する該連結用リブとを組み合わせて各リブ及び連結用リブの先端部がヘアラインから天頂部側へ入り込んで位置するように骨格様のフレームワークを形成し、
この骨格様のフレームワークに多数の擬毛を取り付けて周縁枠を有しない植毛フレームを構成していて、
上記フレームワークは、かつらのアウトラインを形成しないよう、上記複数本のリブを装着者の頭部の前後方向のみに略平行に、且つ、前額部付近において中央のリブの先端を最も突出させ左右に位置するリブを徐々に引っ込めるように上記複数本のリブを配置して形成されており、
装着者の頭部に載せて、上記植毛フレームの間から出した装着者の自毛と上記リブに取り付けた擬毛とを混ぜ合わせて装着することを特徴とする、自毛活用型かつら。
【請求項２】
前記骨格様のフレームワークの増毛密度を高くすべき部位に、前記複数本のリブが互いにその間隔を狭めて近接して組み合わされていることを特徴とする、請求項１に記載の自毛活用型かつら。
【請求項３】
前記並列した複数のリブのうち隣り合うリブ同士が、装着者の分髪部周辺にて、他のリブ同士の各間隔より広い間隔で組み合わされていることを特徴とする、請求項１に記載の自毛活用型かつら。
【請求項４】
前記複数本の各リブが互いにほぼ平行に延びており、各リブの長さ方向の中間部位が外方へ屈曲し、その屈曲した箇所から先端に向かって頭形状に沿うように湾曲してその先端が頭皮に接するように形成されていることを特徴とする、請求項１に記載の自毛活用型かつら。
【請求項５】
前記リブとリブとの間に、ネット部材又は人工皮膚製の増毛領域が張設され、その増毛領域に擬毛が取り付けられていることを特徴とする、請求項１に記載の自毛活用型かつら。
【請求項６】
前記リブとリブとの間に、ネット部材又は人工皮膚製の増毛領域が張設され、その増毛領域に分髪部を形成する擬毛が取り付けられていることを特徴とする、請求項１に記載の自毛活用型かつら。
【請求項７】
前記リブが、その自由端に膨出部を備えていることを特徴とする、請求項１に記載の自毛活用型かつら。
【請求項８】
前記リブが、弾性を備えた剛性材料から成る芯材とその芯材を覆う熱収縮性のチューブとで形成されていることを特徴とする、請求項１〜８の何れかに記載の自毛活用型かつら。
【請求項９】
前記リブが、その自由端に擬毛取付用のループを備えていることを特徴とする、請求項１に記載の自毛活用型かつら。
【請求項１０】
複数本の線状のリブと少なくとも一本の線状の連結用リブとを所定のフレームワークのパターンに沿って接着，結着，超音波溶着などで連結することによりアウトラインのない平面状の骨格様のフレームワークを形成し、
上記フレームワークのパターンに沿って溝を刻設した所定形状の頭型に上記フレームワークを載置してこの頭部形状に沿って湾曲させて保持し、
上記各リブを構成する材料が熱変化する温度で所定時間加熱することにより、上記頭型に沿った湾曲状のフレームワークを成形し、
次いで、この湾曲状のフレームワークに多数の擬毛を取り付けることにより植毛フレームを得ることを特徴とする、自毛活用型かつらの製造方法。
【請求項１１】
前記リブを構成する材料をナイロンフィラメントとし、加熱温度１５０℃〜１７０℃で３０分〜４時間程度加熱することを特徴とする、請求項１０に記載の自毛活用型かつらの製造方法。
【請求項１２】
アウトラインのない所定のフレームワークのパターンに沿って所定形状の頭型に溝を刻設し、この溝内に、線状のリブ及び線状の連結用リブを構成する材料を溶融状態で流し込んで固化することで、上記複数のリブと該リブに少なくとも一点で交差し連結した連結用リブとを備える上記頭型に沿った湾曲状のフレームワークを形成し、これに多数の擬毛を取り付けることにより植毛フレームを得ることを特徴とする、自毛活用型かつらの製造方法。
【発明の詳細な説明】
【技術分野】
【０００１】
この発明は、装着者の頭部に生えている自毛をかつらから外方へ引き出して、かつらに取り付けた擬毛と混ぜ合わせるようにした自毛活用型のかつらに関し、特に、数多くの自毛を万遍なく容易に引き出すことができる自毛活用型かつら及び自毛活用型かつらの製造方法に関する。
【背景技術】
【０００２】
従来のかつらは、一般に、かつらの全体形状、即ちアウトラインを画成するかつらベースに多数の擬毛を取り付けて形成されるが、このうち、所謂自毛活用型のかつらは、かつらベースに複数の孔又は網目を形成して、その孔又は網目から自毛を引き出してかつらの擬毛と混ぜ合わせる形式のものであり、例えば図１９に示すように構成されている。
【０００３】
図１９に示す自毛活用型のかつら７０は、かつらベースとして目の粗いネット部材で形成したネットベース７１が使用されていて、そのネット形状は菱形状、矩形状などのクロス目を有するものが知られている。このようにクロスさせて縦横に配置したネットベース７１には、予め擬毛７２（図面には一部の毛髪だけが示されている。）が多数取り付けられている。ここで、擬毛の材料としては、一般に、人毛又は合成繊維で作った人工毛髪が用いられ、本明細書ではかつらに取り付ける人毛又は合成繊維で作った毛髪材を擬毛と称している。
【０００４】
上記自毛活用型のかつらを頭部に装着する場合は、ネットベース７１の空間から整髪用ブラシなどを用いて自毛Ｈを引き出し、次いで引き出した自毛Ｈをかつらの擬毛７２と混ぜ合わせ、かつらの裏面に取り付けたストッパーなどを用いてこのストッパーにて装着者の自毛を挟着することにより、自毛を活用してかつら７０を装着する。
【発明の開示】
【発明が解決しようとする課題】
【０００５】
しかしながら、このような自毛活用型のかつら７０を頭部に装着すると、多くの自毛が縦横のネットベース７１の下側でネットベースに押しつけられてしまうので、下側に押しつけられた多くの自毛Ｈがネットベース７１に挟まったままとなって、整髪用ブラシを用いて自毛Ｈを引き出そうとしてもネットの目から自毛の引き出しが容易に行なず、多くの自毛Ｈが活用されないままとなってしまう。また、ブラシの櫛歯先端が網目内に入るとこれに引っかかり易く、ブラシを引き抜く際、無理な力が加わってネットベース７１が切れてしまったり、ブラシが破損したりする恐れがある。
【０００６】
さらに、図１９に示すような従来のかつらベースの場合、ネット部材を縦横に張設して湾曲状態を保持しなければならないので、かつらベースの重要な要素として必ず周縁枠部材７３を必要とする。すなわち、ネット部材によるかつらベースの周縁は、かつらの形状とサイズを画成する周縁枠部材７３によって補強されていなければならない。この周縁枠部材７３は、一般に、従来の自毛活用型かつらの外形となるアウトラインを構成しており、かつらベースの型くずれを防ぐため、通常周縁部が幅広の布テープやポリウレタン樹脂コーティングなどによって比較的肉厚に且つ剛性に縁取りして形成されている。その結果、ネット部材及びこの周縁枠部材７３により装着者の自毛Ｈを押さえ付けるようにしてかつら７０を装着せざるを得なかった。この周縁枠部材７３は、下側に押さえつけられている自毛Ｈを上方へ引き上げることに一層大きな障害として作用する。また、周縁枠部材により装着者の頭部がある程度圧迫して締めつけられるため、頭皮からの発汗作用が妨げられる。
【０００７】
従来型の自毛活用型かつらに不可欠の周縁枠部材のさらに深刻な不利な点は、この周縁枠部材が第三者に露見し易いということである。自毛活用型かつらが図１９に示すような部分かつらとして形成されている場合、この部分かつらは浅い椀状を呈しており、これを装着者の頭上に被せたとき装着者の特に前額部では、周縁枠部材７３が前額部の生え際に沿って横方向に配置される。このため、もともと周縁枠部材７３が頭部のほぼ半周にわたって前額部を左右に横切る方向に配置されていることで露顕し易いことに加え、前額部の領域に生えている自毛Ｈが周縁枠部材７３の下側で押しつけられてしまうので生え際がかつら７０と馴染まず、かつら７０の前縁が浮き上がって、不自然な状態になってしまう。このことは、かつらの周縁を露見し易くすることを一層助長してしまう。また、周縁枠部材７３に取り付けられている擬毛７２は、ヘアスタイルによっては毛流方向が自毛Ｈの流れと大きく異なるため、擬毛７２と自毛Ｈとを混ぜ合わせることが難しい。その結果、パーマネント、アイロン、ドライヤーなどでカールをつけながら擬毛７２と自毛Ｈとを混ぜ合わせなければならず、所望のヘアスタイルを醸しだすのに手間のかかる作業が必要となる。
【０００８】
上記周縁枠部材の存在により、装着者の後頭部においても問題がある。周縁枠部材７３が後頭部の領域の自毛を押さえ付ける結果、かつら７０の周縁７４が浮き上がり、かつらの擬毛７２と装着者の自毛Ｈとの間で段差が生じて、その境目が周縁７４に沿って段状の横筋となって顕れ、かつらを装着していることが視認されてしまいがちになる。
【０００９】
従って、この発明の第一の目的は、多くの自毛を容易に引き出すことができ、かつら装着者の自毛をかつらの擬毛と混ぜ合わせて万遍なく有効に利用し全体として毛量を豊かにし得る、自毛活用型のかつらを提供することにある。
この発明の第二の目的は、周縁枠部材並びにネット或いは人工皮膚等の椀状又は帽子状のかつらベースを廃止することにより、かつらの周縁が容易に視認されることのない自毛活用型のかつらを提供することである。
本発明の第三の目的は、上記自毛活用型のかつらの製造方法を提供することである。
【課題を解決するための手段】
【００１０】
上記目的を達成するために、本発明は、かつらの隙間から装着者の自毛を引き出してかつらに取り付けた擬毛と混ぜ合わせて装着する自毛活用型かつらにおいて、線状に形成した複数本のリブ及び線状に形成した少なくとも一本の連結用リブで構成し、複数本のリブと各リブに対して一点で連結する連結用リブとを組み合わせて各リブ及び連結用リブの先端部がヘアラインから天頂部側へ入り込んで位置するように骨格様のフレームワークを形成し、この骨格様のフレームワークに多数の擬毛を取り付けて周縁枠を有しない植毛フレームを構成していて、フレームワークは、かつらのアウトラインを形成しないよう、複数本のリブを装着者の頭部の前後方向のみに略平行に、且つ、前額部付近において中央のリブの先端を最も突出させ左右に位置するリブを徐々に引っ込めるように複数本のリブを配置して形成されており、装着者の頭部に載せて、植毛フレームの間から出した装着者の自毛とリブに取り付けた擬毛とを混ぜ合わせて装着することを特徴としている。
【００１１】
上記目的を達成するために、本発明の自毛活用型かつらの製造方法は、複数本の線状のリブと少なくとも一本の線状の連結用リブとを所定のフレームワークのパターンに沿って接着，結着，超音波溶着などで連結することによりアウトラインのない平面状の骨格様のフレームワークを形成し、フレームワークのパターンに沿って溝を刻設した所定形状の頭型にフレームワークを載置してこの頭部形状に沿って湾曲させて保持し、各リブを構成する材料が熱変化する温度で所定時間加熱することにより、頭型に沿った湾曲状のフレームワークを成形し、次いで、この湾曲状のフレームワークに多数の擬毛を取り付けることにより植毛フレームを得ることを特徴としている。
また、本発明の自毛活用型かつらの製造方法は、アウトラインのない所定のフレームワークのパターンに沿って所定形状の頭型に溝を刻設し、この溝内に、線状のリブ及び線状の連結用リブを構成する材料を溶融状態で流し込んで固化することで、複数のリブとリブに少なくとも一点で交差し連結した連結用リブとを備える頭型に沿った湾曲状のフレームワークを形成し、これに多数の擬毛を取り付けることにより植毛フレームを得ることを特徴としている。
【発明の効果】
【００１２】
本発明によれば、容易に自毛を引き出すことができる自毛活用型かつらが得られ、装着者の自毛を万遍なく有効に利用し、全体として毛量を豊かにすることができる。また、フレームワークを剛性と弾性を備えたリブを用いて骨格状に形成することにより、従来のかつらに必要であった周縁枠部材が本発明では不要となり、従って、かつらの外形を構成するアウトラインが存在しないので、かつらの周縁が容易に視認されることのない自毛活用型のかつらが提供される。
【発明を実施するための最良の形態】
【００１３】
以下、図面を参照しつつ本発明の実施形態を具体的に説明する。
図１乃至図３は本発明の第一の実施形態に係る自毛活用型かつら１を示す斜視図及び平面図並びに装着状態の斜視図である。この自毛活用型かつら（以下、単にかつらと称する場合がある。）は、頭部の所望の位置に載せて、植毛フレーム１０に取り付けられている擬毛１５と装着者の自毛Ｈとを混ぜ合わせて装着するようになっており、装着に際して、植毛フレーム１０の間から自毛Ｈを容易に引き出して擬毛１５と十分に絡ませることができる。
【００１４】
図１及び図２では、植毛フレーム１０の構造を分かり易く説明するために、植毛フレーム１０に取り付けた擬毛１５の描写を僅か数本だけ描くに止め大部分を省略しているが、擬毛１５は実際には、植毛フレーム１０の全体にわたって上方へ突出させて緻密に取り付けられている。このかつらは、図２において上側が装着者の前額部側に位置し下側が後頭部側に位置するようにして、図３に示すように装着されるようになっており、全体が装着者の頭部の例えば薄毛部分を覆う形状及びサイズとなるよう調整されている。植毛フレーム１０は、図１に示すように、装着者の頭部形状に沿うように頂部側が膨出した湾曲状に形成されている。なお、図３はかつらを装着者の頭部の適宜の位置に載せた状態を示し、植毛フレーム１０から数本の自毛Ｈが突出した状態が描かれているが、実際は、装着者が本かつらを装着した状態で自毛Ｈの大部分を万遍なく引き出すことができる。
【００１５】
さて、図１〜３に明瞭に表れているように、本発明の自毛活用型かつら１は、基本的には複数本のリブ１３に多数の擬毛１５を取り付けることにより形成した植毛フレーム１０だけの構成で成っている。複数本のリブ１３の組み合わせは、丁度、人の肋骨のような、或いは魚の骨パターンのような、或いは木の葉の葉脈パターンのような骨格様のフレームワークを呈しており、細い骨状のリブだけを組み合わせることにより構成したものである。図示例では、６本のリブ１３ａ〜１３ｆは装着者の頭部の前後方向に略平行に配置され、前額部及び後頭部付近、特に前額部付近において、各リブの先端が不揃いとなるように互いに異なる長さで、中側の二本のリブ１３ｃ，１３ｄが最も長く、外側のリブ１３ａ，１３ｆに行くにつれて次第に短くなっている。
【００１６】
このように中央のリブ１３ｃ，１３ｄの先端を最も突出させ、左右に位置するリブ１３ａ，１３ｂ，１３ｅ，１３ｆを徐々に引っ込めるように配置すれば、一般的なヘアラインＬ（図３参照）に沿った配置となる。このリブ１３は装着者の自毛Ｈの粗密の程度によりその数を適宜増減することができ、そのパターンも後で詳述するように種々の形状を採り得る。
【００１７】
これらの複数本のリブ１３ａ〜１３ｆをばらけないよう、本実施例では一本の連結用リブ１４が用いられている。連結用リブ１４は、例えば図１及び図２に示すように、上記複数本のリブと同一部材で略直線状に形成され、複数本のリブを並置した中央位置で横方向に配置されて、各リブ１３ａ〜１３ｆと連結固定されている。このように、植毛フレーム１０の骨格は、リブ１３ａ〜１３ｆと連結用リブ１４とを所定形状になるよう適宜に組み合わせて、それらの交点を接着，結着，縫着，溶着などで連結させることにより形成されている。
【００１８】
第一実施形態のかつらの植毛フレーム１０を構成する骨格様のフレームワークのパターンは、あたかも木の葉の中央脈(midrib)とそれから分岐する葉脈（vein）の如き形態を示しており、葉脈の如き各リブ１３ａ〜１３ｆはそれぞれ約１〜２ｃｍの間隔を開けて中央脈の如き連結用リブ１４に連結されており、図２から分かるように、リブ１３同士の間隔は、先端に行くにつれて次第に幅方向に間隔を広げて形成されている。植毛フレーム１０を構成する上記骨格様のフレームワークの重量は、その材質にもよるが、せいぜい約１〜５ｇ程度と軽量であり、例えばテニスのガットのような直径１ｍｍ程度のナイロン製の細線とすれば、約１〜３ｇ程度となり、これに擬毛１５を密生して取り付けても、総重量は約５〜１０グラム程度と非常に軽量に作ることができる。
【００１９】
上記骨格様のフレームワークは、従来のかつらにおいて必須であった、かつらの外形ラインを具備するかつらベースのような、アウトラインを画成するラインが存在しないように形成される。即ち、本発明におけるフレームワークは、かつらの外形を画定する外郭となる周縁枠を有さず、リブの先端部のみが外郭部位近傍に配置されて構成される。植毛フレーム１０は、このようなフレームワークに擬毛１５が取り付けられて形成され、従来技術に示すかつら７０の周縁枠部材７３を備えていない。
【００２０】
各リブ１３ａ〜１３ｆ及び連結用リブ１４は、装着者の頭皮を傷つけるおそれがなく、またドライヤー等の熱の影響を受けにくい材料、例えばナイロン（ポリアミド系合成繊維），ポリエステル等の合成樹脂材料が好ましく、その他、金属，硬質紙，硬質ゴム，木，竹，ガラス繊維，カーボン繊維等の弾性及び剛性を備えた材料が使用でき、例えば直径０．１〜３．０ｍｍ程度のナイロン繊維の撚り線で形成すると好ましい剛性と弾性のリブが得られる。このリブ１３には多数の擬毛１５を取り付けるので、その全体重量に抗して頭部形状に沿った湾曲状態を維持できる程度の剛性と弾力性を有する材料で構成することが必要であり、例えば頭皮の形状に沿って湾曲し、形態復元性に優れる形状記憶樹脂から構成すれば一層好ましい。
【００２１】
各リブ１３，１４の先端は、図２に示すように、好ましくは、膨出部１３ｇが形成される。この膨出部１３ｇを略球形状に膨出して形成することにより、リブ１３に取り付けた擬毛１５が抜け落ちるのを防ぐとともに、頭皮との接触をソフトにして、頭皮を傷つけるのを防止することができる。
【００２２】
リブ１３，１４に取り付ける擬毛としては、人毛の他に、ナイロン，ポリエステル等で作った、例えば直径０．０５乃至０．２ｍｍ程度の人工毛髪が好適であり、リブに結着，縫着，或いは巻き付けて接着し、多数本を所定の方向に突出させて取り付ける。従って、ここに植毛フレームの「植毛」とは、リブに擬毛を植え付ける場合のほか、結着，接着、或いは巻き付けて接着するなど、種々の態様で固着する場合を含む。擬毛１５は、装着者の自毛Ｈと同色或いは、ファッション性を好む場合は、自毛Ｈとは異なる色彩を取り付ければ、おしゃれ用のかつらとすることもできる。
【００２３】
この発明による自毛活用型かつら１は以上のように構成されており、装着する場合には、図３に示すように、先ず上記自毛活用型かつら１を装着者の頭に載せて位置合わせする。装着者の頭部に載置する部位は、図３に示すように、各リブの先端部がヘアラインＬから数センチ天頂部側へ入り込んだ位置にセットする。続いて、自毛Ｈの引き出し作業を行なう。この場合、かつら１を頭の上から一方の手で押さえつつ、ブラシや櫛を用いて、好ましくはリブ１３の長さ方向に向けてブラッシングする。ここで、装着者は、連結用リブ１４を境に、前側は前方に向けて、後側は後方へ向けてブラッシングすることにより、かつら１に抑え込まれている自毛Ｈをリブ１３の間から上方に引き出すことができる。その場合、各リブ１３がブラッシング方向に沿って互いに平行に延びているから、ブラッシング中にブラシや櫛がリブ１３に引っかかることはなく、また自毛Ｈがリブ１３に絡まることもなく、ほぼ１００％近くの自毛Ｈを簡単にリブ１３の間から引き出すことができる。また、リブ１３の先端へ向けてブラッシングすることで、リブ１３が頭皮に圧接されるので、リブ１３の浮き上がりを防止できる。一方、リブの先端側から基端に向かってブラッシングしてリブ１３がたとえ上方へ浮いたとしても、このリブ１３は弾力性があるため形状復元性があり、頭形に沿った元の形状にすぐに復元することができる。
【００２４】
そして、上述のように自毛Ｈをかつら１の植毛フレーム１０の外面に引き出したところで整髪用ブラシ等により軽くブラッシングして、自毛Ｈと擬毛１５とを混ぜ合わせながら所望の髪型に整髪することにより、かつらの装着が完了する。なお、かつらの頭部への固定は、公知のかつら用ストッパーをかつらの裏側へ固着しておき、このストッパーにて自毛Ｈを挟着して固定すれば便利である。
【００２５】
本発明の自毛活用型かつらを装着した場合、十分な間隔で頭部の前後方向に互いに平行に延びている各リブ１３とこれを連結するリブ１４だけで構成されているので、装着者の生え際や後頭部において、従来の周縁枠が存在するかつらのような周囲に沿った横方向のヘアラインが存在せず、従って、かつらを装着していることが露見しない。また、特にヘアラインの領域においても、自毛Ｈと擬毛７２との毛分かれが生じず、毛分かれによる段差も発生しない。
【００２６】
また、第一実施形態に係る自毛活用型かつら１は、従来のかつらベースの外形を画成するような周縁枠部材が存在しておらず、ヘアラインで囲まれた中央寄りに自毛の中に埋入されるようにして装着されるので、装着者の自毛Ｈを十分にかつらの隙間から引き出すことができるとともに、自毛Ｈと擬毛１５とが相互の混ぜ合いによって互いに良好に馴染み、これにより、装着者の、特に前額部及び後頭部で、植毛フレーム１０の頭部からの浮上りが生じない。また特に前額部においては、リブ１３が直面することになるので、長さが不揃いであることと相俟つて、装着者の自毛Ｈの生え際が自然に見える。
そして、かつらの外形を画成するアウトラインが存在しないので、周縁枠部材を構成しないことから、植毛フレーム１０が自毛中に完全に隠蔽され、頭部から露見するようなこともない。
【００２７】
このように、第一実施形態に係る自毛活用型かつら１は、自毛Ｈの引き出しが容易であることから、自毛Ｈを十分に生かすことができて、自毛Ｈが擬毛１５と馴染み易くなる。そして、かつらの周縁付近に於いて、違和感のない自然さが生じることから、かつら１の視認性が低減される。さらに、植毛フレーム１０の骨格が、リブ１３，１４を組み合わせたフレームワークだけで構成されることで、通気性に富むとともに、極めて軽量に形成することができる。
【００２８】
なお、上記かつら１は、男性用かつら，女性用かつらとして用いることができる他、おしゃれ用のファッションかつらとしても適用でき、いずれの場合にも、自毛の引き出しが容易にできるので、自毛を十分に活用することができる。したがって、自毛との馴染みが良好でかつらの周縁の生え際に違和感がなく、自然なヘアスタイルを作ることができる。
【００２９】
次に、図４及び図５を参照して、本発明の第一実施形態の第一変形例を示す自毛活用型かつら２を説明する。
図４に示す植毛フレーム１１は、図示の場合上下方向、即ち、装着者の頭部の前後方向に互いに間隔を開けて略平行に延びる複数本、図示の場合７本のリブ１３と、これらのリブ１３の各両端から引っ込んだ内側にて、各リブ１３と二点で交差する１つの環状の連結用リブ１４とで構成される。このように各リブ１３はこの環状の連結用リブ１４でそれぞれ二点で連結されることにより、フレームワークがより強固に保形される。
【００３０】
さらに、このフレームワークは、外側に湾曲した二本の補助連結用リブ１６を備えている。これにより、フレームワークの型がより強固に保持され、特に頭部の左右両サイドへの密着が向上する。また、図４に鎖線で示すように、この補助連結用リブ１６を利用して自毛活用型かつら２を頭部に固定保持するためのストッパー１７を取り付けるようにすることもできる。これら、複数本のリブ１３、環状の連結用リブ１４及び補助連結用リブ１６は、全て同じ細線材料から構成されて剛性と弾力性とを有している。
【００３１】
この自毛活用型かつら２は以上のように構成されており、装着する場合には、図５に示すように、先ず上記自毛活用型かつら２を装着者の頭に載せて位置合わせし、ブラッシングにより自毛Ｈを十分に引き出す。その後、かつら２を植毛フレーム１１の周縁付近に付設した適宜のストッパー１７を用いて装着者の自毛に係着する。ストッパー１７としては、例えば反転可能な基材に多数の櫛歯を設けた特公昭５４−１６７８５号公報（対応する米国特許番号（ＵＳＰ）第４１５５３７０号）に記載の挟着具が好適に用いられ、または両面テープや液状の医療用瞬間接着剤等を適用することにより装着者の頭部に固定する。
【００３２】
次に、本自毛活用型かつら１の製造方法について、図４に示すかつら２に例をとって説明する。
最初に、図６に符号１９で示すように、好ましくは装着者の頭部形状にできるだけ一致するように成型した頭部形状を模した石膏頭型を製作する。この石膏頭型１９上に所望のフレームワークのパターンを書き込み、このパターンに沿ってリブ１３及び環状の連結用リブ１４を所定長さに切って配置し、それぞれの交点となる部分に印を付ける。
【００３３】
次に、超音波溶着機にて各リブ１３と連結用リブ１４の印の付いた交点部分を溶着してリブ１３，１４同士を連結する。この状態で平面状のフレームワークが形成される。
この平面状のフレームワークを石膏頭型１９に描かれているパターンに合わせて湾曲し固定する。そして、所定時間、所定温度で加熱処理することにより、フレームワークは、装着者の頭部形状に沿った湾曲状に形成される。
【００３４】
最後に、湾曲した骨格様のフレームワークに擬毛１５を取り付けることにより植毛フレーム１１、即ち、本発明による自毛活用型かつらが完成する。
リブ１３，１４としてポリアミド樹脂で作った細線を用いる場合は、約１５０℃〜１７０℃で、３０分〜４時間程熱処理を施すと湾曲形態が安定する。このリブは、透明，半透明又は肌色或いは擬毛１５と同色に着色されたものを用いるのが望ましい。また、リブの表面をサンドペーパーなどで粗面処理を施すと、表面の艶を抑えることができるとともに、取り付けた擬毛１５の抜け落ちを防止するうえで好ましい。
【００３５】
なお、各リブ１３，１４の両先端部に滴状の球体（膨出部１３ｇ）を作る場合は、例えば樹脂液にリブの先端を浸漬し、冷却固化することにより形成することができる。
【００３６】
上記平面状のフレームワークを石膏頭型１９上に固定保持する際、この石膏頭型１９の表面に、作製しようとする湾曲状の骨格様フレームワークのパターンに沿った溝１９ａを刻設し、刻設した溝１９ａに、図７に示すように、リブ１３，１４をはめ込んで固定保持するようにしてもよい。リブ１３，１４を溝１９ａに収容して加熱処理すると、加熱時に変形等を生じることなく安定して所定形状の湾曲したフレームワークが成形される。
【００３７】
このようにして、植毛フレーム１１の成形，製作を行なうと、装着者の頭形状にぴったりと沿った、浮き上がりの生じ難い植毛フレーム１１を簡便に製造することができる。
【００３８】
さらに他の製造方法としては、上記石膏頭型１９の溝１９ａを利用して、例えば溶融した合成樹脂材を流し込み、それを冷やして固化することで、湾曲状の骨格様のフレームワークを一体成形することができる。従って、交点の連結作業などが不要になる。
【００３９】
次に、図８を参照して、本発明の第一実施形態の第二変形例を説明する。図８（Ａ）に示す自毛活用型かつら３は、フレームワークを図１〜図３に示す自毛活用型かつら１と同様に複数のリブ１３及び連結用リブ１４を組み合わせて構成されるが、縦方向に並置した複数の各リブ１３が、図８（Ｂ）に示すように、長さ方向の途中の部位１３ｈから外方へ屈曲して浮き上がり、この屈曲した箇所１３ｈから先端に向かって頭部形状１００に沿うように湾曲し、その先端が頭皮に接するように形成されている。このように、リブ１３の一部が浮き上がって頭皮から離れている。
【００４０】
このような自毛活用型かつら３を頭部に装着した場合、リブ１３の一部が頭部から浮き上がっているので、ボリューム感を出すことができる。例えば、屈曲部位１３ｈに取り付けた擬毛１５は、図８（Ｂ）に示すように、上方へ突出させた後、途中から後方へなびかせることができるので、毛髪が立ち上がることによりボリューム感を出すことができ、特にオールバックのヘアスタイルを現出するのに好適である。
【００４１】
なお、図８中Ｆは前額部側を示し、Ｒは後頭部側を示す。また図８では、前額部側に連結用リブ１４を二本配置し、その間にネット部材を張って増毛領域Ｎを設けている。この増毛領域Ｎを設けることにより、この領域で擬毛１５がより多数緻密に取り付けられる。
【００４２】
ところで、フレーワークとしては、上記図１，図４及び図８に示すものの他、図９〜１５に示すように、種々のバライティに富むパターンに形成することができる。例えば、本発明に用い得るフレームワークは、装着者の髪型に適合するように、髪の分け目の種類に応じた分髪部タイプ、毛髪のボリュームを変化させるのに適したボリュームアップタイプ、各種のヘアスタイルに適した毛流タイプ、それらの混合タイプ、など装着者の好みに応じた形態に形成することができる。図９〜図１５はかつらを頭部へ装着した状態の平面図であるが、各かつらの擬毛１５や自毛Ｈの記載を簡略化している。
【００４３】
先ず、図９に示すかつらは、頭部のほぼ中央に作った分け目に在る自毛を引き出して活用するとともに、後頭部の増毛を図るタイプのものである。このため、図９に示すように、装着者の分髪部Ｐ（図９中に示す二点鎖線）に在る自毛を引き出し易くするために、分髪部Ｐを挟む二つのリブ１３ｃ，１３ｄは、他のリブ同士の間隔よりも広げられている。
【００４４】
また、各リブ１３はそれぞれ、前後方向に略並行に配置されており、装着者のヘアスタイルとして、分髪部を中心にして頭部の左右の側面に向けて髪を流すヘアスタイルに好適である。さらに、このフレームワークは、二本の連結用リブ１４を後頭部の部位に並置して設け、その領域にネット部材を張って増毛領域Ｎを設けており、緻密に擬毛を取り付け得るようにしている。
【００４５】
次に、図１０に示すフレームワークは、図９と同様に、頭部の中央部に自毛による分髪部Ｐが形成されており、ヘアスタイルは、頭部の全体の髪を後側に流すタイプのものである。このため、フレームワークは、図１０に示すように、分髪部を挟むのに好適な幅を持って形成されているＵ字状のリブ１３−１とそれから枝のように分岐して前方へ向かいつつ左右側面に向けて湾曲した複数のリブ１３−２とで構成されている。
【００４６】
図１１に示すフレームワークは、図９及び図１０に示すものと異なり、装着者の分髪部Ｐの自毛が薄い場合にその部分の増毛を図るとともに、分髪部Ｐが頭部の左側にある場合に好適なタイプのものである。このフレームワークは、分髪部を挟むのに好適な幅を持って形成されているＵ字状のリブ１３−１とそれから枝状に分岐して取り付けられている複数のリブ１３−２とで構成されて、分髪部Ｐにはネット部材を張って増毛領域Ｎが形成されている。この増毛領域Ｎには、分髪部Ｐを形成するように擬毛１５が取り付けられる。
【００４７】
次に、図１２〜図１５に、主としてボリュームアップタイプのかつらを示す。図１２に示すかつらは、Ｖ字状に屈曲させた複数のリブ１３を連結して構成されており、各リブ１３の隣接する距離間隔を狭くすることで、擬毛１５の密度が高くなるようになっている。なお、図１２に示すフレームワークは、頭部全体にわたってリブ１３が配置されることから、頭部の残毛状態が全体的に少ない場合に好適に増毛できるタイプのものである。
【００４８】
一方、図１３に示すかつらは、前額側のボリュームアップを図るものであり、フレームワークは、各リブ１３の隣接する距離間隔を前額側において狭くして、各リブ１３，１４を組み合わせて構成されている。特に、毛流を後側に流すバックスタイルに好適に整髪できるタイプである。
【００４９】
また、図１４に示すかつらは、天頂部に位置するリブ１３の密度を高くして、天頂部の増毛効果を高めるものであり、このフレームワークは、つむじ部分を囲む環状の連結用リブ１４と、その外側に配置した半環状の連結用リブ１４−１と、環状の連結用リブ１４から放射状に伸びて配置されている複数のリブ１３とで構成され、さらに、環状の連結用リブ１４内に、ネット部材を張って増毛領域Ｎが設けられている。この増毛領域Ｎには、つむじを形成するように擬毛１５を取り付ける。図１４に示すかつらは、天頂部、特につむじ領域の残毛が少なく、その周辺も薄くなっている人に対して、好適に増毛を図ることができるタイプのものである。
【００５０】
さらに、図１５に示すかつらは、天頂部の残毛が少なく、ヘアスタイルが側方から後方へ流れているヘアスタイルの場合に好適に増毛できるタイプのものである。このフレームワークは、毛流方向に曲げられた複数のリブ１３が連結用リブ１４に連結して配置され、さらに、後頭部側でリブ１３と連結用リブ１４の近接距離を狭くすることで、後頭部の毛量密度を高めるものでもある。
【００５１】
以上のように、湾曲した骨格状のフレームワークを種々のパターンで配置構成することができ、何れのものも、毛流方向へのブラッシングによって自毛の引き出しを容易に行なうことができるとともに、ブラシや櫛がブラッシングの際にリブ１３，１４に引っかかることがない。
前記増毛領域Ｎは、ネット部材の代わりに人工皮膚で形成されてもよい。
【００５２】
なお、フレームワークは、上記に示した他に様々な形態に形成することができるのは言うまでもない。また、フレームワークは、一本の長いリブを所望の形状に屈曲させて、かつらの周縁枠を形成しないようにして構成してもよい。
【００５３】
次に、フレーム部材を構成するリブの構造の幾つかの例を図１６〜１８を用いて説明する。
図１６（Ａ）及び（Ｂ）は、リブ１３の先端が目立たないように工夫したものであり、これらの図は、リブ１３の先端にループ１３ｉを形成し、このループ１３ｉにも擬毛１５を取り付けた状態を示す部分拡大斜視図である。このループ１３ｉは、一本の線材の一端をリブ１３の先端部に添着し、その中間をリブの先端から突出させて環を作った後、他端をリブ１３の先端部に巻回し、接着剤で固定することにより形成されている。
【００５４】
このループ１３ｉは、例えばリブ１３と同様の素材で形成することができ、弾性及び剛性を有するとともに、ドライヤー等の影響を受けにくい材料、例えばナイロンやポリエステルなどの合成樹脂材，金属線，カーボン繊維などの弾性及び剛性を備えた材料から構成される。好ましくは、ループ１３ｉを構成する線材はリブ１３より小径のものが選択される。
【００５５】
上記ループ１３ｉは、図１６（Ａ）に示すように、頭皮面に平行に配設することができ、或いは、図１６（Ｂ）に示すように、頭皮面に垂直に配設することができる。このようにループ１３ｉに擬毛１５を取り付けることにより、リブ１３の先端を隠すことができる。
【００５６】
次に、ループを設けることなく、先端に擬毛１５を取り付け得る好ましいリブについて、図１７を参照しつつ説明する。このリブ１８は、芯材１８ａと熱収縮性のチューブ１８ｂとで構成されており、前記リブ１３（１４，１５）を芯材１８ａとして、その全周囲に熱収縮性チューブ１８ｂを被覆することにより、構成されている。図１７（Ａ）は熱収縮性チューブ１８ｂで被われたリブ１８の構成を示す部分拡大側断面図、図１７（Ｂ）は図１７（Ａ）のＡ−Ａ断面図、図１７（Ｃ）はＢ−Ｂ断面図である。
【００５７】
このような熱収縮性チューブ１８ｂ（以下、単にチューブと言う場合がある）で被われたリブ１８は、芯材１８ａの先端を完全に被って、しかもその残余の部分が突出部１８ｃとして形成されている。この状態で、突出部１８ｃを含む熱収縮性チューブ１８ｂの全体に擬毛１５を植設する。これにより、リブ１８の先端部が擬毛１５で覆われることになるので、一層視認されにくい。熱収縮性チューブ１８ｂは好ましくは、乳白色或いは頭皮又は毛髪と同系統に着色すれば、自毛Ｈ及び擬毛に隠蔽されて一層露顕されにくい。
【００５８】
この熱収縮性チューブ１８ｂはポリオレフィンやポリエチレン或いはエチレン・プロピレン・ゴム（Ｅ．Ｐ．Ｒ）を主成分として構成したものが好適であり、１００℃〜１０５℃で少なくとも径方向に４０パーセント及びチューブの軸方向に大きくとも１５パーセントの熱収縮特性を有するものが便宜である。また、芯材１８ａは、熱収縮性チューブ１８ｂよりも変形温度が高いものを用いるのが好ましい。このような熱収縮性チューブ１８ｂをリブ１８の表皮材として用いると、擬毛１５の取り付けが容易に且つ確実に行なうことができる。例えば、熱収縮性チューブ１８ｂに擬毛１５を取り付ける際も植毛針を用いて容易に縫着し得るし、或いは巻回して取り付けても弾力性に富むので滑るようなこともなく、確実に取り付けることができる。
【００５９】
図１８（Ａ）〜（Ｃ）は、熱収縮性のチューブ１８ｂで被覆されているリブ１８の製造例を説明するための側面図である。
図１８（Ａ）に示すように、熱収縮性のチューブ１８ｂは、芯材１８ａの外径より大きい内径を有しており、収縮される前のチューブ１８ｂに芯材１８ａを差し込み、１００℃〜１０５℃の温度範囲で数十分程度（例えば、５分〜３０分）加熱処理を施すことで、チューブ１８ｂが熱収縮して芯材１８ａに密着する。この際、チューブ１８ｂは芯材１８ａの全長より長く形成されているので、加熱処理後は、図１８（Ｂ）に示すように、残余のチューブ（突出部）１８ｃが芯材１８ａの両端からさらに外方へ縮径状態で延出している。このように、チューブ１８ｂは芯材１８ａよりも長く形成されるのが望ましい。加熱処理を施されたリブ１８の表面は、弾性のあるゴム質であるが、艶があるため、やすりなどでその表面を擦り、図１８（Ｃ）に示すように艶消しされていれば、迷彩効果に富んで好ましい。また、薬液処理にて艶消しすることも可能である。
【００６０】
上記二重構造のリブ１８の代わりに、リブ１３の表面から例えばレーステープなどのネット材等を巻き付けて、これらのネット材等に擬毛１５を結着するようにしてもよい。また、ネット材に代えて、ウレタン素材などの他のフィルム状又は薄いシート状のテープをリブ１３に接着剤を用いて接着しながら巻いて、このテープに擬毛１５を結着又は植設するようにしてもよい。
なお、この発明は上記実施の形態に限定されるものではなく、この発明の趣旨に基づいて種々の変形が可能であり、これらを本発明の範囲から除外するものではない。
【図面の簡単な説明】
【００６１】
【図１】本発明の第一実施形態に係る自毛活用型かつらを示す斜視図であり、実際にはフレームワークに多数の擬毛が密集して取り付けられているが、フレームワークの構造を明瞭に示すため、殆どの擬毛の図示を省略している。
【図２】図１に示す自毛活用型かつらの、取り付けられている擬毛の大部分の図示を省略した平面図である。
【図３】図１に示す自毛活用型かつらを頭部への装着状態を示す斜視図であり、実際は自毛とフレームワークに取り付けた多数の擬毛とが混ぜ合わされて装着される。
【図４】本発明による自毛活用型かつらの第一実施形態の第一変形例の構成を示す概略平面図である。
【図５】図４のかつらを装着者の頭部に取り付けた状態を示す斜視図である。
【図６】本発明による自毛活用型かつらの製造方法の一例を示し、フレームワークの成形工程を示す斜視図である。
【図７】図６に示す石膏頭型へリブ材をセットした状態の断面図である。
【図８】本発明の第一実施形態の第二変形例に係る自毛活用型かつらを示す斜視図であり、（Ａ）は斜視図、（Ｂ）は（Ａ）に示すかつらに用いられるリブの形態を示す側面図である。
【図９】本発明の第一実施形態の他の変形例に係る骨格様のフレームワークの構成を示す平面図である。
【図１０】本発明の第一実施形態の他の変形例に係る骨格様のフレームワークの構成を示す平面図である。
【図１１】本発明の第一実施形態の他の変形例に係る骨格様のフレームワークの構成を示す平面図である。
【図１２】本発明の第一実施形態の他の変形例に係る骨格様のフレームワークの構成を示す平面図である。
【図１３】本発明の第一実施形態のさらに他の変形例に係る骨格様のフレームワークの構成を示す平面図である。
【図１４】本発明の第一実施形態の別の変形例に係る骨格様のフレームワークの構成を示す平面図である。
【図１５】本発明の第一実施形態のさらに別の変形例に係る骨格様のフレームワークの構成を示す平面図である。
【図１６】（Ａ）及び（Ｂ）は本発明に用いるリブの一例を示し、先端に形成したループへ擬毛を取り付けた状態を示す部分拡大斜視図である。
【図１７】本発明に用いるリブの一例を示し、（Ａ）は芯材を熱収縮性のチューブで被覆することにより形成したリブの部分拡大側面図、（Ｂ）は（Ａ）のＡ−Ａ断面図、（Ｃ）は（Ａ）のＢ−Ｂ断面図である。
【図１８】（Ａ）〜（Ｃ）はそれぞれ、図１７に示すリブの製造工程を説明する斜視図である。
【図１９】図１９は従来の自毛活用型かつらを装着した状態を示す斜視図である。
【符号の説明】
【００６２】
１，２      かつら
１０，１１  植毛フレーム
１３，１３ａ〜１３ｆ，１３−２，１８  リブ
１３ｇ      膨出部
１３ｈ      屈曲部位
１３ｉ      ループ
１３−１    Ｕ字状のリブ
１４        連結用リブ
１４−１    半環状の連結用リブ
１５        擬毛
１６        補助連結用リブ
１７        ストッパー
１８ａ      芯材
１８ｂ      熱収縮性のチューブ
１８ｃ      突出部
１９        石膏頭型
１９ａ      溝
【図１】
2008101320.tif 000003
【図２】
2008101320.tif 000004
【図３】
2008101320.tif 000005
【図４】
2008101320.tif 000006
【図５】
2008101320.tif 000007
【図６】
2008101320.tif 000008
【図７】
2008101320.tif 000009
【図８】
2008101320.tif 000010
【図９】
2008101320.tif 000011
【図１０】
2008101320.tif 000012
【図１１】
2008101320.tif 000013
【図１２】
2008101320.tif 000014
【図１３】
2008101320.tif 000015
【図１４】
2008101320.tif 000016
【図１５】
2008101320.tif 000017
【図１６】
2008101320.tif 000018
【図１７】
2008101320.tif 000019
【図１８】
2008101320.tif 000020
【図１９】
2008101320.tif 000021